(57)【要約】  ウェハ積層体（１００）は、光学ウェハと呼ばれる第１のウェハ（ＯＷ１）と、スペーサウェハと呼ばれる第２のウェハ（ＳＷ）とを備え、前記光学ウェハ（ＯＷ１）は製造異常を有する。スペーサウェハ（ＳＷ）は、前記製造異常を少なくとも部分的に補償するよう、構成されている。装置、特に光学装置であり得る装置を製造するための対応する方法は、製造異常を少なくとも部分的に補償するための訂正工程を行なうことを備える。このような訂正工程は、スペーサウェハと呼ばれるウェハ（ＳＷ）を設けることを含み、そのスペーサウェハは前記製造異常を少なくとも部分的に補償するよう構成されている。これら製造異常は、名目値からの偏差、たとえば焦点距離の異常、を含み得る。本発明は高い歩留まりでの高精度の装置の大量生産を可能にする。
2014524597.tif 000002
【特許請求の範囲】
【請求項１】
装置、特に光学装置を製造するための方法であって、前記方法は、製造異常を少なくとも部分的に補償するための訂正工程を行なうことを備え、前記訂正工程はスペーサウェハと呼ばれるウェハを設けることを含み、前記スペーサウェハは前記製造異常を少なくとも部分的に補償するために構成され、特に前記製造異常は名目値からの偏差を含む、方法。
【請求項２】
前記製造異常は、前記装置の構成の寸法的異常を含む、請求項１に記載の方法。
【請求項３】
前記装置は光学部材を含む、請求項１または２に記載の方法。
【請求項４】
前記光学部材は少なくとも１つの受動光学コンポーネントを含む、請求項３に記載の方法。
【請求項５】
前記光学部材は少なくとも１つの能動光学コンポーネントを含む、請求項３または４に記載の方法。
【請求項６】
前記製造異常は、前記光学部材の製造の際に用いられた製造工程からもたらされる製造異常を含む、請求項３から５のいずれか１項に記載の方法。
【請求項７】
前記光学部材はウェハレベルで製造される光学部材である、請求項３から６のいずれか１項に記載の方法。
【請求項８】
前記製造異常は、前記光学部材の特徴的な大きさについて、名目値からの偏差を含む、請求項３から７のいずれか１項に記載の方法。
【請求項９】
前記光学部材は少なくとも１つのレンズ素子を含み、前記製造異常は、前記少なくとも１つのレンズ素子の特徴的な大きさについて、名目値からの偏差を含む、請求項３から８のいずれか１項に記載の方法。
【請求項１０】
前記名目値は前記少なくとも１つのレンズ素子の焦点距離である、請求項９に記載の方法。
【請求項１１】
前記スペーサウェハを製造する工程を備える、請求項１から１０のいずれか１項に記載の方法。
【請求項１２】
前記スペーサウェハを製造することは、前記製造異常に基づいて行なわれる、請求項１１に記載の方法。
【請求項１３】
多数の予め製造されたスペーサウェハから前記スペーサウェハを選択する工程を備え、特に前記予め製造されたウェハは異なる仕様に従い製造され、より特定的には、前記予め製造されたスペーサウェハは互いに縦の長さが異なる、請求項１から１２のいずれか１項に記載の方法。
【請求項１４】
前記スペーサウェハを選択することは、前記製造異常に基づいて行なわれる、請求項１３に記載の方法。
【請求項１５】
前記製造異常を定める工程を備える、請求項１から１４のいずれか１項に記載の方法。
【請求項１６】
前記製造異常を推定する工程を備える、請求項１から１５のいずれか１項に記載の方法。
【請求項１７】
前記スペーサウェハの厚さは、前記製造異常に基づいて選択される値を有する、請求項１から１６のいずれか１項に記載の方法。
【請求項１８】
前記装置は光学部材を含み、前記光学部材は光学ウェハと呼ばれるウェハ上に配置される多数の光学部材を製造することによって製造される光学部材であり、前記多数の光学部材は前記光学部材を含む、請求項１から１７のいずれか１項に記載の方法。
【請求項１９】
前記光学ウェハを製造することを備える、請求項１８に記載の方法。
【請求項２０】
前記光学ウェハを製造することは、複製工程を含む、請求項１８または１９に記載の方法。
【請求項２１】
前記製造異常は、前記光学ウェハで行なわれた測定によって定められるまたは推定される、請求項１８から２０のいずれか１項に記載の方法。
【請求項２２】
前記製造異常は、少なくとももう１つのさらなる光学ウェハで行なわれた測定によって定められるまたは推定される、請求項１８から２１のいずれか１項に記載の方法。
【請求項２３】
前記スペーサウェハは、前記補償を少なくとも部分的に達成するために、スペーサウェハが概して湾曲した形状を規定する、１つ以上の概して横方向に延在する領域を示すよう製造され、前記１つ以上の領域の各々は、前記多数の光学部材のうちのいくつかの光学部材によって前記光学ウェハが占める面積ほど大きい面積にわたって延在し、特に前記スペーサウェハはちょうどこのような１つの領域を示し、より特定的には、前記１つの領域はスペーサウェハ全体にわたって実質的に延在する、請求項１８から２２のいずれか１項に記載の方法。
【請求項２４】
前記スペーサウェハは、前記補償を少なくとも部分的に達成するために、スペーサウェハが横方向に対して傾斜する面を規定する、１つ以上の概して横方向に延在する領域を示すよう製造され、前記１つ以上の領域の各々は、前記多数の光学部材のうちのいくつかの光学部材によって前記光学ウェハが占める面積ほど大きい面積にわたって延在し、特に前記スペーサウェハはちょうどこのような１つの領域を示し、より特定的には、前記１つの領域はスペーサウェハ全体にわたって実質的に延在する、請求項１８から２３のいずれか１項に記載の方法。
【請求項２５】
前記スペーサウェハは概して楔形状の、または概して傾斜を示すよう製造され、より特定的にはスペーサウェハの横面に対して傾斜するよう製造される、請求項１８から２４のいずれか１項に記載の方法。
【請求項２６】
前記スペーサウェハを製造することを備え、前記製造は研磨を含む、請求項２３から２５のいずれか１項に記載の方法。
【請求項２７】
前記多数の光学部材の各々の少なくとも１つの特性を定めることを備え、特に前記少なくとも１つの特性は焦点距離を含む、請求項１８から２６のいずれか１項に記載の方法。
【請求項２８】
前記スペーサウェハは多数の概して横方向に延在する領域を含むよう製造され、前記領域の各々におけるスペーサウェハの縦の長さは、それぞれの領域に対して個別に選択され、特に、前記スペーサウェハは複製工程を用いて製造され、前記複製工程で用いられる複製マスタは、前記製造異常を少なくとも部分的に補償するよう設計されている、請求項１から２７のいずれか１項に記載の方法。
【請求項２９】
前記装置は光学部材を含み、前記光学部材は光学ウェハと呼ばれるウェハ上に配置される多数の光学部材を製造することによって製造される光学部材であり、前記多数の光学部材は前記光学部材を含み、前記スペーサウェハは多数の概して横方向に延在する領域を含むよう製造され、前記多数の領域の各々は、前記多数の光学部材のうちの１つの光学部材と関連付けられ、前記領域の各々におけるスペーサウェハの縦の長さは、それぞれの関係のある光学部材の少なくとも１つの特性に基づいて選択され、前記少なくとも１つの特性は任意に焦点距離を含み、特に、前記スペーサウェハは複製工程を用いて製造され、前記複製工程で用いられる複製マスタは、前記製造異常を少なくとも部分的に補償するよう設計されている、請求項１から２８のいずれか１項に記載の方法。
【請求項３０】
前記多数の領域の複数において前記縦の長さを増加させることを備える、請求項２８または２９に記載の方法。
【請求項３１】
前記多数の領域の複数において前記縦の長さを減少させることを備え、特に前記多数の領域の複数において材料を除去することによって減少させる、請求項２８から３０のいずれか１項に記載の方法。
【請求項３２】
前記スペーサウェハは互いに異なる材料からなる第１の層および第２の層を含み、特に前記第２の層はポリマー材からなり、前記材料を除去することは前記第２の層だけに行なわれる、請求項３１に記載の方法。
【請求項３３】
前記縦の長さを増加させることおよび前記縦の長さを減少させることは、第１の処理工程を行ない、前記第１の処理工程と異なる第２の処理工程を前記第１の処理工程の後で行なうことを含み、特に、前記第１の処理工程が前記第２の処理工程と異なるのは、少なくとも：
−適用された処理技術；
−それぞれの処理工程で用いられるツール；
−それぞれの処理工程で用いられる少なくとも１つの処理パラメータ；
のいずれか１つである、請求項３０から３２のいずれか１項に記載の方法。
【請求項３４】
前記第１の処理工程は、前記第２の処理工程と比べて、前記多数の領域のうちの前記複数の領域からより高い速度で材料を除去して行なわれる、請求項３３に記載の方法。
【請求項３５】
前記縦の長さを減少させることは、切断または機械加工またはレーザアブレーションを用いて達成され、特に前記切断または機械加工は前記複数の領域の各々に対して個別に適用される、請求項３１から３４のいずれか１項に記載の方法。
【請求項３６】
前記縦の長さを減少させることは、フライス削りまたはフライス削りツールを用いて達成され、特に前記フライス削りまたは前記フライス削りツールは前記多数の領域の各々に対して個別に適用される、請求項３１から３５のいずれか１項に記載の方法。
【請求項３７】
前記縦の長さを減少させることは、孔開けまたは孔開けツールを用いて達成され、特に前記孔開けまたは前記孔開けツールは前記複数の領域の各々に対して個別に適用される、請求項３１から３６のいずれか１項に記載の方法。
【請求項３８】
前記縦の長さを減少させることは、レーザアブレーションを用いて達成され、特にレーザアブレーションは前記複数の領域の各々に個別に適用される、請求項３１から３７のいずれか１項に記載の方法。
【請求項３９】
前記スペーサウェハは前記複数の領域の各々において、特に前記多数の領域の各々において、円形のまたはリング形状のジオメトリを示す、請求項２８から３８のいずれか１項に記載の方法。
【請求項４０】
前記スペーサウェハおよび前記光学ウェハを含むウェハ積層体を形成することを備える、請求項１８から３９のいずれか１項に記載の方法。
【請求項４１】
前記スペーサウェハは多数の光チャネルを形成し、特に前記光チャネルは光が、より特定的には概して縦に伝搬される光が、通ることができる、請求項１から４０のいずれか１項に記載の方法。
【請求項４２】
前記装置は光学部材を含み、前記光チャネルは、前記光学部材を通った光、および／または前記光学部材から放射される光、および／または前記光学部材に向かって伝搬される光が、通ることが可能である、請求項４１に記載の方法。
【請求項４３】
前記スペーサウェハは多数の光チャネルを形成し、前記光チャネルは、前記光学部材を通った光、および／または前記光学部材から放射される光、および／または前記光学部材に向かって伝搬される光が、通ることが可能であり、前記スペーサウェハおよび前記光学ウェハはウェハ積層体に含まれる、請求項１８から４０のいずれか１項に記載の方法。
【請求項４４】
前記多数の光チャネルの各々は、前記スペーサウェハによって形成されるチャネル壁によって取囲まれ、特に前記チャネル壁は不透明材料からなる、請求項４１から４３のいずれか１項に記載の方法。
【請求項４５】
前記多数の光チャネルの１つ以上の光チャネルにおいて、特に前記多数の光チャネルの各々において、透明材料がある、請求項４４に記載の方法。
【請求項４６】
前記スペーサウェハは複製工程を用いて製造され、特に前記複製工程で用いられる複製マスタは、前記製造異常を少なくとも部分的に補償するよう設計され、任意に、前記製造異常を少なくとも部分的に補償するよう既に設計されているこのように得られたスペーサウェハは、さらなる処理工程を受けて、前記このように得られたさらなる処理がなされたスペーサウェハによって得られる補償量を増やし、特に前記さらなる処理工程は、材料をスペーサウェハに追加および／または除去することを含む、請求項１から４４のいずれか１項に記載の方法。
【請求項４７】
前記スペーサウェハは多数の概して横方向に延在する領域を含むよう製造され、前記スペーサウェハは前記多数の概して横方向に延在する領域の各々において受動光学コンポーネント、特に複製材からなるレンズを含み、前記訂正工程は複製を用いて前記多数の受動光学コンポーネントを製造することを含み、前記多数の受動光学コンポーネントの各々は、前記スペーサウェハの基板上に複製され、それとともに前記基板とそれぞれの受動光学コンポーネントとの間に配置される複製材の層を形成する前記複製材の付加的部分が複製され、前記領域の各々におけるそれぞれの層の縦の長さは、それぞれの領域に対して個別に選択される、請求項１から４６のいずれか１項に記載の方法。
【請求項４８】
前記装置は光学部材を含み、前記光学部材は光学ウェハと呼ばれるウェハ上に配置される多数の光学部材を製造することによって製造された光学部材であり、前記多数の光学部材は前記光学部材を含み、前記多数の概して横方向に延在する領域の各々は、前記多数の光学部材の１つの光学部材と関連付けられ、前記領域の各々において、それぞれの層の縦の長さは、それぞれの関係のある光学部材の少なくとも１つの特性に関連付けられる、またはその特性に基づいて選択され、前記少なくとも１つの特性は任意に焦点距離を含み、特に、前記受動光学コンポーネントを複製するために用いられる複製マスタは、前記光学部材の製造異常を少なくとも部分的に補償するために設計されている、請求項４６に記載の方法。
【請求項４９】
前記装置は光学システムである、または光学システムを含む、請求項１から４８のいずれか１項に記載の方法。
【請求項５０】
前記装置は通信装置またはカメラで使用する装置であり、特に通信装置またはカメラの構成である、請求項１から４９のいずれか１項に記載の方法。
【請求項５１】
前記装置は通信装置またはカメラである、請求項１から４８のいずれか１項に記載の方法。
【請求項５２】
前記装置はウェハ積層体である、請求項１から４８のいずれか１項に記載の方法。
【請求項５３】
請求項１から５２のいずれか１項に従って製造される装置。
【請求項５４】
装置であって、光学ウェハと呼ばれる第１のウェハと、スペーサウェハと呼ばれる第２のウェハとを備え、前記光学ウェハは製造異常を有し、前記スペーサウェハは前記製造異常を少なくとも部分的に補償する、装置。
【請求項５５】
前記スペーサウェハは多数の光チャネルを形成する、請求項５４に記載の装置。
【請求項５６】
前記光学ウェハは多数の光学部材を含み、前記製造異常は前記光学部材の製造異常である、請求項５４または５５に記載の装置。
【請求項５７】
前記光学部材の各々は少なくとも１つの受動光学コンポーネントおよび／または少なくとも１つの能動光学コンポーネントを含む、請求項５６に記載の装置。
【請求項５８】
前記光学部材の各々は少なくとも１つのレンズ部材を含む、請求項５６または５７に記載の装置。
【請求項５９】
前記製造異常は、前記レンズ部材の製造異常である、請求項５８に記載の装置。
【請求項６０】
前記レンズ部材は焦点距離を有し、前記製造異常は前記焦点距離について、名目焦点距離からの偏差であるまたは偏差を含む、請求項５８または５９に記載の装置。
【請求項６１】
前記スペーサウェハは多数の光チャネルを形成し、各光チャネルは前記光学部材の１つと関連付けられる、請求項５６から６０のいずれか１項に記載の装置。
【請求項６２】
前記多数の光チャネルの各々は、前記スペーサウェハによって形成されるチャネル壁によって取囲まれ、特に前記チャネル壁は不透明材からなる、請求項５５または６１に記載の装置。
【請求項６３】
前記多数の光チャネルのうちの１つ以上の光チャネルにおいて、特に多数の光チャネルの各々において、透明材があり、前記多数の光チャネルのうちの第１の光チャネルにある前記透明材料の量は、前記多数の光チャネルのうちの少なくとも第２の光チャネルにある前記透明材料の量と異なる、請求項５５、６１および６２のいずれか１項に記載の装置。
【請求項６４】
前記スペーサウェハは、スペーサウェハが概して湾曲した形状を規定する１つ以上の概して横方向に延在する領域を示し、前記１つ以上の領域の各々は、前記多数の光学部材のうちのいくつかの光学部材によって前記光学ウェハが占める面積ほど大きい面積にわたって延在し、特に前記スペーサウェハはちょうどこのような１つの領域を示し、より特定的には、前記１つの領域はスペーサウェハ全体にわたって実質的に延在する、請求項５８から６３のいずれか１項に記載の装置。
【請求項６５】
前記スペーサウェハは、スペーサウェハが横方向に対して傾斜する面を規定する１つ以上の概して横方向に延在する領域を示し、前記１つ以上の領域の各々は、前記多数の光学部材のうちのいくつかの光学部材によって前記光学ウェハが占める面積ほど大きい面積にわたって延在し、特に前記スペーサウェハはちょうどこのような１つの領域を示し、より特定的には、前記１つの領域はスペーサウェハ全体にわたって実質的に延在する、請求項５８から６４のいずれか１項に記載の装置。
【請求項６６】
前記スペーサウェハは、概して傾斜を、より特定的にはスペーサウェハの横面に対して傾斜を示し、さらに特定的には、前記傾斜は実質的にスペーサウェハ全体にわたって延在する、請求項５８から６５のいずれか１項に記載の装置。
【請求項６７】
前記スペーサウェハは多数の概して横方向に延在する領域を含み、前記多数の領域の各々は、前記多数の光学部材の１つの光学部材と関連付けられ、前記領域の各々において、スペーサウェハの縦の長さは、それぞれの関係のある光学部材の少なくとも１つの特性に関連付けられる、特に、前記少なくとも１つの特性は焦点距離を含む、請求項５８から６６のいずれか１項に記載の装置。
【請求項６８】
前記スペーサウェハは多数の概して横方向に延在する領域を含み、前記多数の領域の各々は、前記多数の光学部材の１つの光学部材と関連付けられ、前記領域の各々において、スペーサウェハの縦の長さは、それぞれの関係のある光学部材の製造異常に関連付けられ、特に、前記製造異常は前記関係のある光学部材の焦点距離と関連付けられる、請求項５８から６７のいずれか１項に記載の装置。
【請求項６９】
前記スペーサウェハの縦の長さの横方向の分布は、前記光学ウェハに対する前記製造異常の横方向の分布に対応するおよび／または関連するおよび／または横方向の分布に基づいて選択される、請求項５８から６８のいずれか１項に記載の装置。
【請求項７０】
前記スペーサウェハは、互いに異なる材料からなる第１の層および第２の層を含み、特に前記第２の層はポリマー材からなり、および／または前記第１の層はガラスからなる、請求項５６から６９のいずれか１項に記載の装置。
【請求項７１】
前記光学ウェハは多数の光学部材を含み、前記スペーサウェハは多数の概して横方向に延在する領域を含み、前記多数の領域の各々は前記多数の光学部材のうちの１つと関連付けられ、前記領域の各々における前記第２の層の縦の長さは、それぞれの関係のある光学部材の少なくとも１つの特性に関連付けられるまたはその特性に基づいて選択され、特に前記少なくとも１つの特性は焦点距離を含む、請求項７０に記載の装置。
【請求項７２】
前記スペーサウェハは複製工程を用いて製造される、請求項５６から７１のいずれか１項に記載の装置。
【請求項７３】
前記スペーサウェハは概して横方向に延在する領域および前記概して横方向に延在する領域すべてにわたって延在する基板を含み、前記スペーサウェハは前記多数の概して横方向に延在する領域の各々において受動光学コンポーネント、特にレンズを含み、前記多数の概して横方向に延在する領域の各々において、ある材料層が前記基板とそれぞれの受動光学コンポーネントとの間にあり、各前記領域のそれぞれの層の縦の長さは、それぞれの領域に対して個々に選択される、請求項５６から７２のいずれか１項に記載の装置。
【請求項７４】
前記光学ウェハは多数の光学部材を含み、前記多数の光学部材の各々は前記多数の概して横方向に延在する領域の１つと関連付けられ、前記領域の各々において、それぞれの領域における層の縦の長さは、それぞれの関係のある光学部材の少なくとも１つの特性に関連付けられるまたはその特性に基づいて選択され、特に前記少なくとも１つの特性は焦点距離を含む、請求項７３に記載の装置。
【請求項７５】
前記光学ウェハは複製工程を用いて製造される、請求項５６から７４のいずれか１項に記載の装置。
【発明の詳細な説明】
【技術分野】
【０００１】
技術分野
本発明は光学部品、より特定的にマイクロ光学部品の分野に関する。特に、本発明は、光学系、光電子モジュールおよびカメラなどの光学装置のウェハレベルの製作に関する。本発明は、請求項の冒頭の節に係る方法および器具に関する。
【背景技術】
【０００２】
発明の背景
ＷＯ  ２０１１／１５６９２８  Ａ２（２０１１年６月１０日出願）として公開された国際特許出願より、ウェハレベルで製作可能なカメラおよびカメラ用光モジュールが公知である。当該特許出願では、カメラおよびカメラ用光モジュールならびにそれらの製造方法が多少詳細に開示されている。したがって、当該特許出願ＷＯ  ２０１１／１５６９２８  Ａ２は引用により本特許出願に援用される。
【０００３】
用語の定義
「能動光学コンポーネント」：光検知部品または発光部品。たとえば、フォトダイオード、画像センサ、ＬＥＤ、ＯＬＥＤ、レーザチップ。
【０００４】
「受動光学コンポーネント」：レンズ、プリズム、ミラー、または光学系などの、屈折および／または回折および／または反射によって光の方向を変える光学コンポーネントであり、光学系は、開口絞り、画像スクリーン、ホルダなどの機械的要素も含み得るこのような光学コンポーネントの集まりである。
【０００５】
「光電子モジュール」：少なくとも１つの能動光学コンポーネントおよび少なくとも１つの受動光学コンポーネントが含まれる部品。
【０００６】
「複製」：所与の構造またはそのネガを再現する技術。たとえば、エッチング、エンボス加工、インプリンティング、鋳造、成形。
【０００７】
「ウェハ」：実質的に円盤状または板状の物体であり、一方向（ｚ方向または縦方向）におけるその延在部は、他の２方向（ｘおよびｙ方向または横方向）におけるその延在部よりも小さい。通常、（ブランクでない）ウェハ上に、複数の同様の構造または物体が典型的に矩形グリッドで配置されるか内部に設けられる。ウェハは開口または孔を有してもよく、ウェハはその横方向領域の主要部分に材料を含まなくてもよい。多くの文脈において、ウェハは一般的に半導体材料からなると理解されるが、本特許出願においてこれは明らかに限定事項ではない。したがって、ウェハは一般的に、たとえば半導体材料、ポリマー材料、金属およびポリマーまたはポリマーおよびガラス材料を含む複合材料からなり得る。特に、熱硬化性または紫外線硬化性ポリマーなどの硬化性材料が、本発明に関連して対象となるウェハ材料である。
【０００８】
「横」：「ウェハ」参照。
「縦」：「ウェハ」参照。
【０００９】
「光」：最も一般的に電磁放射であり、より特定的に、電磁スペクトルの赤外線部分、可視部分または紫外線部分の電磁放射。
【発明の概要】
【課題を解決するための手段】
【００１０】
発明の要約
本発明の１つの目的は、装置、特に光学系、光電子モジュールおよびカメラなどの光学装置の代替的な製造方法を提供することであり、特に、装置、特に光学系、光電子モジュールおよびカメラなどの光学装置の改善された製造方法を提供することである。さらに、対応する装置、特に光学系、光電子モジュールおよびカメラなどの光学装置、ならびにウェハおよびウェハスタックなどの関連の装置および器具も提供される。
【００１１】
本発明の別の目的は、光学系、光電子モジュールおよびカメラなどの光学装置の製造における製造歩留まりを改善することである。
【００１２】
本発明の別の目的は、光学系、光電子モジュールおよびカメラなどの光学装置の、特にこれらがウェハスケールで製造された場合の品質を改善することである。
【００１３】
さらなる目的が以下の説明および実施形態から明らかになる。
これらの目的の少なくとも１つは、特許請求項に係る器具および方法によって、ならびに／または以下に記載の器具および方法によって、少なくとも部分的に達成される。
【００１４】
本発明は特に装置（特に光学装置）およびその製造、ならびに光学装置の製造の際に用いられるウェハ（スペーサウェハ）およびウェハ積層体（スペーサウェハおよび光学ウェハを含む）に関する。本発明は一般に、少なくとも１つの能動光学コンポーネントおよび／または少なくとも１つの受動光学コンポーネントを一般的に含む少なくとも１つの光学部材を備える。当該製造は一般にウェハスケールの製造工程に係わる。
【００１５】
装置、特に光学装置の製造時には、たとえば、単に、１つ以上の処理ステップにおいて多少避けられない変化または不正確さのために、製造異常または製造偏差が発生し得る。たとえば、装置が少なくとも１つのレンズ素子を含む場合、ウェハ（光学ウェハと称される）上の複数のそのようなレンズ素子は、名目上は同じ焦点距離を有するにも関わらず、実際は、（若干）異なる焦点距離を有する。
【００１６】
本発明者は、ウェハレベルで製造異常を少なくとも部分的に訂正または補償することができ、それによって、装置の歩留まりおよび／または光学特性を改善できることを見出した。
【００１７】
このような製造異常をウェハレベルで補償するスペーサウェハが提案されている。より特定的には、スペーサウェハの形状、特にその厚さ（縦の長さ）および厚さの分布（スペーサウェハの横方向にわたる、縦の長さの分布）は、前記製造異常が少なくとも部分的に補償されるような態様で選択される。さらに、代替的にまたは付加的に、求められる補償に寄与するスペーサの他の特性、たとえばスペーサウェハによって形成される光チャネルでの透明な材料といった、材料の選択および／または材料の厚さ（縦の長さ）も提供される。スペーサウェハと呼ばれる提案されているウェハは、受動光学コンポーネントを含み得る。
【００１８】
場合によっては、前記製造異常はある程度、再現可能である、または製造工程を繰返し行なうと再現される。このような場合、複製を用いて製造される、製造異常を（少なくとも部分的に）補償するためのスペーサウェハを用いることが有利であり得る。他の製造異常は予測できる態様を示さないようである。場合によっては、光学ウェハで測定を行なうことが役に立ち得る。これにより、製造異常を少なくとも部分的に補償するのに適するスペーサウェハを選択または製造できることになる。
【００１９】
本発明において３つの副局面がある。
第１の副局面において、（光学ウェハにわたる）前記製造異常の平均値が、たとえば試料測定に基づき、決定され、その平均値に基づいて選択された厚さ（縦の長さ）を有するスペーサウェハが用いられる。このスペーサウェハは、複数の予め製造されたスペーサウェハから選択する、または製造され得る。この第１の局面において、一般に製造異常の（横の）分布にありうる傾向は無視される。
【００２０】
第２の副局面において、このような傾向が利用される。たとえば、光学ウェハで行なわれた測定に基づき、適切なスペーサウェハ、たとえば全体的な傾斜を有するスペーサウェハが用いられる。
【００２１】
第３の副局面において、多数の領域を有するスペーサウェハであって、スペーサウェハの厚さ（縦の長さ）が個別の値を有するスペーサウェハを用いることが提案される。たとえば、光学ウェハに含まれる多数の光学部材の各々に対して、前記製造異常に関連する値が定められ、スペーサウェハは各々が前記光学部材の１つに関連する多数の領域を有し、前記領域の各々の厚さ（縦の長さ）は、それぞれの関係のある光学部材に対して定められる値に関連付けられているおよび／またはその値に基づいて選択される。
【００２２】
第３の副局面は、複製工程を用いてスペーサウェハを製造することを含むことによって実現でき、製造異常を既に考慮している複製マスタが用いられる。こうして、このような複製マスタを用いて得られたスペーサウェハは、少なくともある程度、製造異常を補償することができる。複製マスタの設計は、製造異常がスペーサウェハによって補償される（特定の）光学ウェハに基づいて、または同じ態様で製造された付加的光学ウェハ（または複数のこのような付加的光学ウェハ）に基づいて、定めることができる。光学ウェハの製造が複製工程を含む場合、特に注意を引くものであり、１対の一致した複製マスタの生成であって、１つは光学ウェハの製造用、もう１つはスペーサウェハの製造用の複製マスタをもたらし、光学ウェハおよびスペーサウェハを含むウェハ対は、特に一致して得ることができ、その結果高い製造歩留まりおよび／または特に高い品質の装置をもたらす。
【００２３】
第３の副局面を実現する別の態様は、たとえばフライス削りにより、スペースウェハから材料を局所的に取除く、または材料を追加することを含む。生産速度を上げるために、１つのスペーサウェハを同時に複数の場所で加工できる。
【００２４】
第３の副局面は、上記の２つの可能な方法を組合せることによって実現することができる。すなわち、製造異常を事前に考慮した複製マスタを用いた複製により製造されたスペーサウェハを使用し、次に局所的に材料を除去または追加する。後者は微調整工程であり、複製によって得られたスペーサウェハでは補償されなかった製造異常の量を定めるために、（さらなる）測定に基づいている。
【００２５】
スペーサウェハが多数の光チャネルを備え、各々が前記光学ウェハの多数の光学部材のいずれかに関連付けられる場合、その光チャネルの長さは、前記製造異常を少なくとも部分的に補償するためのある大きさとして用いることができる。上記の副局面について、以下がたとえば意図される：
−第１の副局面において、前記光チャネルのすべてに対して、前記光チャネルの長さは、上記の平均値になる製造異常を少なくともほぼ補償する値となる；
−第２の副局面において、スペーサウェハにわたる前記光チャネルの長さの横方向の分布は、数学的関数によって記述できるように選択され、前記数学的関数はフィッティング関数から得ることができ、これは前記製造異常の横方向の分布を記述する数学的関数に適合する；
−第３の副局面において、各前記光チャネルの長さは、それぞれの関係のある光学部材の製造異常に対して定められた値に関連付けられたおよび／またはその値に基づいて選択された値となる。
【００２６】
前記副局面と無関係に、本発明は分離工程、より特定的にはウェハ積層体を一般になす前記スペーサウェハおよび前記光学ウェハが複数のモジュールに分離される、より特定的には各々が１つの光学部材を含む多数のモジュールに分離される工程を含む。
【００２７】
さらに、光チャネルはスペーサウェハを縦に延在する開口、たとえばスルーホールであり得る。さらに、光チャネル（または少なくともいずれかの光チャネル）の中に透明材があり、光チャネルは不透明材によって取囲まれ得る。透明材は光チャネルを完全にまたは部分的に充填し得る。個別に各チャネルに調整された量を与えることにより、前記製造異常を補償することに寄与し得る。たとえば、求められる補償を達成するための２つの方策（または提供または工程）の１つとして、たとえば微調整工程として、与えることができる。
【００２８】
特に、以下の実施の形態は、本発明の少なくとも特定の観点において、本発明に対して以下の特徴を有する：
方法：
本方法は装置、特に光学装置を製造するための方法である。本方法は、製造異常を少なくとも部分的に補償するための訂正工程を行なうことを含み、前記訂正工程はスペーサウェハと呼ばれるウェハを設けることを含み、前記スペーサウェハは前記製造異常を少なくとも部分的に補償するよう構成されている。特に、前記製造異常は、名目値からの偏差を含み得る。具体的に、前記製造異常は前記装置の構成の寸法的異常を含み得る。
【００２９】
さらに、前記装置は光学部材を含み、より特定的には、前記光学部材は少なくとも１つの受動光学コンポーネントおよび／または少なくとも１つの能動光学コンポーネントを含み得る。
【００３０】
一実施の形態において、本方法は前記スペーサウェハを製造する工程を含む。この場合、前記スペーサウェハの製造は、前記製造異常に基づいて一般に行なわれる。
【００３１】
上記の実施の形態と組合せることができる一実施の形態において、本発明は前記スペーサウェハを複数の予め製造されたスペーサウェハから選択する工程を含む。特に、前記予め製造されたウェハは、異なる仕様に従い製造され、より特定的には、前記予め製造されたスペーサウェハは、縦の長さが互いに異なる。これは求められる補償（第１の副局面）を達成する相対的に簡単な方法である。
【００３２】
１つ以上の上記の実施の形態と組合せることができる一実施例において、前記装置は光学部材を含み、前記光学部材は、光学ウェハと呼ばれるウェハ上に配置される多数の光学部材を製造することによって製造され、前記多数の光学部材は前記光学部材を含む。
【００３３】
最後に記載した実施の形態に従う一実施の形態において、前記スペーサウェハは、前記補償を少なくとも部分的に達成するために、１つ以上の概して横方向に延在する領域を示すよう製造され、その領域においてスペーサウェハは概して湾曲した形状を規定し、前記１つ以上の領域の各々は、前記多数の光学部材のうちのいくつかの光学部材によって前記光学ウェハが占める面積ほど大きい面積にわたって延在し、特に前記スペーサウェハはちょうどこのような１つの領域を示し、より特定的には、前記１つの領域はスペーサウェハ全体にわたって実質的に延在する。このようなおよび以下で言及する「概して横方向に延在する領域」は「横方向に規定される領域」であると考えることができる。なぜなら、これらの領域はその横方向の位置および長さによって規定されるからである。これは第２の副局面を実現する１つの態様である。
【００３４】
２つの最後に記載した実施の形態の一方または両方に従う一実施の形態において、前記スペーサウェハは概して楔形状または全体的な傾斜を示すよう製造され、より特定的にはスペーサウェハの横方向の面に対して傾斜を有して製造される。これも第２の副局面を実施する１つの態様である。
【００３５】
最後に記載した３つの実施の形態の１つ以上と組合せることができる一実施の形態において、前記スペーサウェハは概して横方向に延在する領域を多数含むよう製造され、前記多数の領域の各々は、前記多数の光学部材の一つと関連付けられる。前記領域の各々におけるスペーサウェハの縦の長さは、それぞれの関係のある光学部材の少なくとも１つの特性に基づいて選択される。前記少なくとも１つの特性は焦点距離を含み得る。特に、前記スペーサウェハは複製工程を用いて製造され、前記複製工程で用いられる複製マスタは、前記製造異常を少なくとも部分的に補償するよう設計されている。これは第３の副局面を実施する一つの態様である。
【００３６】
前に記載した１つ以上の実施の形態と組合せることができる一実施の形態において、前記スペーサウェハは互いに異なる材料からなる第１の層および第２の層を含む。たとえば、前記第２の層はポリマー材からなる。さらに材料は（特に、上記の概して横方向に延在する領域において）前記第２の層から除去されるが、前記第１の層からは除去されない。前記第１の層は特に（異なる）ポリマーまたはガラスからなる。前記第１および第２の層は２つの互いに接着する板を形成する。
【００３７】
前に記載した１つ以上の実施の形態と組合せることができる一実施の形態において、当該方法は第１の処理工程を行い、前記第１の処理工程の後で、前記第１の処理工程と異なる第２の処理工程を行なうことを含む。前記第１および第２の処理工程は、スペーサウェハから材料を除去する、またはスペーサウェハに材料を追加する工程であり得る。特に、前記第１の処理工程が前記第２の処理工程と異なるのは、少なくとも：
−適用された処理技術；
−それぞれの処理工程で用いられるツール；
−それぞれの処理工程で用いられる少なくとも１つの処理パラメータ；
のいずれか１つである。
【００３８】
たとえば、前記第１の処理工程は、前記第２の処理工程と比べて、前記多数の領域のうちの複数からより高い速度で材料を除去（または追加）して行なわれる。第２の工程は、たとえば微調整工程であると考えられる。
【００３９】
第１の処理工程は第２の処理工程と異なる（横方向に規定される）領域に対して行なわれ得る。これは特にマルチチャネル装置の場合有用であり得る。
【００４０】
前に記載した１つ以上の実施の形態と組合せることができる一実施の形態において、前記スペーサウェハは概して横方向に延在する領域を多数含むよう製造され、前記スペーサウェハは、前記多数の概して横方向に延在する領域の各々において、複製材からなる受動光学コンポーネント（たとえばレンズ）を含む。前記訂正工程は複製を用いて前記多数の受動光学コンポーネントを製造することを含み、前記多数の受動光学コンポーネントの各々は、前記スペーサウェハの基板上に複製され、それとともに前記基板とそれぞれの受動光学コンポーネントとの間に配置される複製材の層を形成する前記複製材の付加的部分が複製される。前記領域の各々における複製材のそれぞれの層の縦の長さは、それぞれの領域に対して個別に選択される。本実施の形態は、前記スペーサウェハへの材料の局所的追加を、特定的な態様で実施すると考えられる。光路長および光学コンポーネントの相対的位置は、このような複製材の層の厚さを変える場合に、変えられる。前記スペーサウェハは光学ウェハであると考えられる。なぜなら、前記受動光学コンポーネントを含むからである。
【００４１】
最後に記載した実施の形態に従う一実施の形態において、前記装置は光学部材を含み、前記光学部材は光学ウェハと呼ばれるウェハ上に配置される多数の光学部材を製造することによって製造された光学部材であり、前記多数の光学部材は前記光学部材を含み、前記多数の概して横方向に延在する領域の各々は、前記多数の光学部材の一つと関連付けられる。前記領域の各々において、それぞれの層の縦の長さは、それぞれの関係のある光学部材の少なくとも１つの特性に関連付けられる、またはその特性に基づいて選択され、前記少なくとも１つの特性は任意に焦点距離を含む。特に、前記受動光学コンポーネントを複製するために用いられる複製マスタは、前記光学部材の製造異常を少なくとも部分的に補償するために設計されている。
【００４２】
第１の観点における装置：
第１の観点において、本特許出願に記載されている製造方法に従って製造された装置が本発明に含まれる。このような装置は、たとえば光電子モジュール、カメラ用モジュール、撮像装置、スマートフォンのような通信装置であり得る。
【００４３】
本発明は本発明に従う対応する方法の特徴を有する装置を含み、およびその逆に、本発明に従う対応する装置の特徴を有する方法を含む。
【００４４】
当該装置の利点は、対応する方法の利点に基本的に対応し、その逆に、当該方法の利点は対応する装置の利点に基本的に対応する。
【００４５】
第２の観点における装置：
第２の観点において、光学ウェハと呼ばれる第１のウェハおよびスペーサウェハと呼ばれる第２のウェハを含む装置が本発明に含まれ、前記光学ウェハは製造異常を有し、前記スペーサウェハは前記製造異常を少なくとも部分的に補償する。当該装置は特にウェハ積層体であり得る。
【００４６】
本装置の一実施の形態において、前記スペーサウェハは互いに異なる材料からなる第１の層および第２の層を含み、特に前記第２の層はポリマー材からなり、および／または前記第１の層はガラスからなる、または、たとえば異なるポリマーが第１および第２の層に用いられる。
【００４７】
最後に記載した実施の形態に従う一実施の形態において、前記光学ウェハは多数の光学部材を含み、前記スペーサウェハは多数の概して横方向に延在する領域を含み、前記多数の領域の各々は、前記多数の光学部材の一つと関連付けられる。前記領域の各々における前記第２の層の縦の長さは、それぞれの関係のある光学部材の少なくとも１つの特性に関連付けられるまたはその特性に基づいて選択され、特に前記少なくとも１つの特性は焦点距離を含む。ここでは、前記第１の層の縦の長さは前記領域の各々では実質的に同一である。
【００４８】
前記スペーサウェハは、複製工程を用いて製造され、および／または前記スペーサウェハは硬化可能ポリマーといった硬化された硬化可能材料からなる。
【００４９】
前に記載した１つ以上の実施の形態と組合せることができる一実施の形態において、前記スペーサウェハは多数の光チャネルを形成する。特に、前記多数の光チャネルの各々は、前記スペーサウェハによって形成されるチャネル壁によって取囲まれる。前記チャネル壁が不透明材料からなる場合、光チャネルの少なくとも部分的な光学的分離が得られる。しかし、一般に、チャネル壁は透明材料からもなり得る。
【００５０】
さらに、前記多数の光チャネルの１つ以上の光チャネル（特に、前記多数の光チャネルの各々）において、透明材料がある。光チャネルを通過する光は前記透明材料を通る。液体またはやや固化した透明材を通る光路長は、−典型的に真空であるまたは空気が存在する）「通常の」（「充填されていない」開口を通る光路長と一般的に異なる。こうして、前記製造異常の補償を達成または少なくとも寄与するために、前記多数の光チャネルのうちの第１の光チャネルにある前記透明材の量は、前記多数の光チャネルのうちの少なくとも第２の光チャネルにある前記透明材料の量と異なるよう選択できる。
【００５１】
複製によって、開口を取囲む多数のチャネル壁を含むウェハを製造することができ、このようなウェハは、たとえば角柱状または管状の開口を有する平たいふるいのように形作られ得る。さらに、前記透明材料は硬化された硬化可能材料であり得る。このような態様で、材料は液体の形でチャネルに充填され、後で硬化される。前記多数の光チャネルのいずれかにある透明材料は、縦に規定された範囲に沿って全体的に、特に前記縦の規定された範囲が前記それぞれのチャネルの端部で終わる場合、それぞれのチャネルを充填する。
【００５２】
上記の３つの副局面に類似して、光チャネルに透明材料を（少なくとも）以下の３つの態様で設けることができる：
−光チャネルすべてにおいて前記透明材料の量または厚さが（名目上）同じである；
−光チャネルにある前記透明材料の量または厚さは、スペーサウェハにわたって全体的傾向を規定する；
−光チャネルにある前記透明材料の量または厚さは、スペーサウェハの多数の領域に対して個々に選択される、たとえば各スペーサ部材または光学部材に対して個々に選択される。
【００５３】
前記光学ウェハが多数の光学部材を含むのなら、前記光チャネルの各々は前記光学部材のいずれかと一般に関連付けられる。
【００５４】
前に記載した１つ以上の実施の形態と組合せることができる一実施の形態において、前記スペーサウェハは多数の概して横方向に延在する領域および前記概して横方向に延在する領域すべてにわたって延在する基板を含み、前記スペーサウェハは前記多数の概して横方向に延在する領域の各々において受動光学コンポーネント（たとえばレンズ）を含む。前記多数の概して横方向に延在する領域の各々において、ある材料層が前記基板とそれぞれの受動光学コンポーネントとの間にあり、各前記領域のそれぞれの層の縦の長さは、それぞれの領域に対して個々に選択される。特に、前記層は受動光学コンポーネントと同じ材料からなり、より特定的には、前記層の各々は、それぞれの受動光学コンポーネントとともに一体的部分を形成する。さらに、前記受動光学コンポーネントは複製材からなるおよび／または複製を用いて製造される。受動光学コンポーネントが同時に１工程でそれぞれの関連する材料層とともに製造されるのなら、前記製造異常の補償はほんの少しの手間だけで達成できる。
【００５５】
最後に記載した実施の形態に従う一実施の形態において、前記光学ウェハは多数の光学部材を含み、前記多数の光学部材の各々は前記多数の概して横方向に延在する領域の一つと関連付けられ、前記領域の各々において、それぞれの領域における層の縦の長さは、それぞれの関係のある光学部材の少なくとも１つの特性に関連付けられるまたはその特性に基づいて選択され、特に前記少なくとも１つの特性は焦点距離を含む。
【００５６】
前に記載した１つ以上の実施の形態と組合せることができる一実施の形態において、前記光学ウェハは複製工程を用いて製造される、および／または本発明に従う対応する方法の特徴を有して、硬化された硬化可能材（特に、硬化された硬化性材料）からなる。
【００５７】
本発明は、本発明に従う対応する装置の特徴を有する方法、およびその逆に、本発明に従う対応する方法の特徴を有する装置を含む。
【００５８】
本発明の利点は対応する装置の利点に基本的に対応し、およびその逆に、装置の利点は対応する方法の利点に基本的に対応する。
【００５９】
さらなる実施の形態および利点は、請求項および図面から明らかとなる。
図面の簡単な説明
以下に、実施例および添付の図面によって本発明はより詳細に説明される。図面は非常に簡略化された態様で示される。
【００６０】
説明される実施の形態は一例であって、本発明を限定するものではない。
【図面の簡単な説明】
【００６１】
【図１】本発明の第１の副局面を示す、断面図である。
【図２】本発明の第１の副局面を示す、断面図である。
【図３】本発明の第２の副局面を示す、断面図である。
【図４】本発明の第３の副局面を示す、断面図である。
【図５】分離工程を示す、断面図である。
【図６】本発明の第３の副局面の特定の実施の形態を示す、断面図である。
【図７】本発明の第３の副局面の別の特定の実施形態を示す、断面図である。
【図８】本発明の局面を示す、断面図である。
【図９】本発明の局面を示す、断面図である。
【図１０】本発明の局面を示す、断面図である。
【図１１】本発明の局面を示す、断面図である。
【発明を実施するための形態】
【００６２】
発明の詳細な説明
図１および図２は、本発明の上記の第１の副局面を概略的に示す断面図である。
【００６３】
ウェハ積層体１００またはその詳細は図１および図２に示され、スペーサウェハＳＷ、および２つの光学ウェハＯＷ１およびＯＷ２を含む。多数の装置１０は、このようなウェハ積層体１００から得ることができ、各々はスペーサ部材Ｓおよび２つの光学部材Ｏ１およびＯ２を含む。
【００６４】
図３に示されるように、１つの光学ウェハ（参照符号ＯＷ）しかない可能性もある。
各光学部材は少なくとも１つの受動光学コンポーネントＬ、たとえば、図１および図２の例ではレンズ素子Ｌを含み、装置１０当たり４つのレンズ素子Ｌを含み、光学部材Ｏ１およびＯ２の各々に対して２つある。スペーサ部材Ｓは、たとえば光学部材が他の装置または部材に固定される場合、光学部材および／または少なくとも１つの受動光学コンポーネントＬと別の装置または部材との間に明確に定められた距離を確実にするために用いることができる。ここでは、前記距離は通常非常に重要である、特にコンポーネントまたは素子Ｌの焦点距離といった特徴的な大きさを考慮する際、重要である。
【００６５】
たとえば、製造上の理由により、受動光学コンポーネントＬ（の組）の焦点距離は、各装置１０では同一でないことも起こり得る。
【００６６】
スペーサウェハＳＷはこのような問題を是正する助けとなる。
たとえば、複数の装置１０の焦点距離の平均値を定めることができる。そして、この平均値が名目値から（十分に大きい程度）ずれると、厚さｔのスペーサウェハを用いることができ、これは特にその偏差がある場合に適するものとなる。これは図１および図２に示される。図２において、（平均）焦点距離の対応する偏差を補償するために、より厚いウェハが用いられる。
【００６７】
異なる厚さ（縦の長さ）のスペーサウェハを予め製造し、これらのうちの１つを、補償するべき定められた（平均）偏差に基づいて選択することができる。または、適切な厚さのスペーサウェハが特定的に作成される。
【００６８】
スペーサウェハＳＷは複製を用いて、または複製の手段を用いることによって、容易に作ることができる。
【００６９】
スペーサウェハＳＷは、部分的に、または全体が、不透明材料からなり得る。このような不透明材料を設けることにより、装置１０に不所望な光の伝搬が入出力されるのを防止する。
【００７０】
図３は、図１および図２と同じ態様で、本発明の上記の第２の副局面を示す。
ここで、焦点距離の偏差に全体的な傾向が観測され、これは変動する厚さ、たとえば全体的に楔形状である、または全体的に楔形状のプロファイルを有するスペーサウェハＳＷを用いることによって、補償される。
【００７１】
このようなスペーサウェハＳＷは、研磨を用いて製造することができる。
もちろん、焦点距離のもっと複雑な傾向または分布、たとえば湾曲した形状、いくつかの互いに傾斜した面などを有する形状に対して、ウェハにわたる他の特徴的な大きさも補償することができる。
【００７２】
図４は、図１、図２および図３と同じ態様で、本発明の上記の第３の副局面を示す。
ここで、各装置１０において、スペーサウェハを通る光チャネル７の長さは、それぞれの装置の受動光学コンポーネントの偏差（製造異常）を少なくとも部分的に補償するために、個別に調整される。
【００７３】
これは、スペーサウェハから材料を除去すること、たとえば機械加工、フライス削り、または孔開け、またはレーザアブレーションによって達成される。一般に、名目値（名目焦点距離）からの偏差は、各装置（ウェハを装置１０に分離する前）の各々に対して定められ、機械加工、またはフライス削りまたは孔開けまたはレーザアブレーションは、スペーサウェハが分離される前に、個別になされる。
【００７４】
スペーサウェハの光チャネル７の長さを増加させる、またはスペーサウェハの厚さを局所的に増加させることもできる。これは、たとえばインクジェット技術により、（局所的に）スペーサウェハに材料を追加することによって達成される。
【００７５】
図５は分離工程を示し、それによりウェハ積層体は個別の装置１０に分離される。分離は参照符号１０１がある線に沿って行なわれる。
【００７６】
図６は第３の副局面（図４参照）の特定の実施の形態を示す。スペーサウェハＳＷはここでは特定の形状を有する。この特定の形状は、スペーサウェハＳＷの厚さを局所的に減少させる、特に厚さを減少させるために回転ツールが用いられる場合に、たとえば機械加工またはフライス削りまたは孔開けによって行なわれる場合に、促進させる。このようなジオメトリを有するスペーサウェハＳＷの製造は、たとえば複製を用いることによって達成できる。図６の右部分は、斜視図において、スペーサウェハの一部、より特定的には分離工程の後に見られるスペーサウェハの部分を示し、特にその分離工程において、スペーサウェハを含むウェハ積層体は多数の単一装置１０に分離される。
【００７７】
図６の右部分に示されるように、スペーサウェハは一方側において（より特定的には、ウェハ積層体１００においてレンズ素子Ｌから、および光学ウェハＯＷ２から反対側に向いている側において）、たとえば各装置に対して、多数のリング形状の部分を有する。（材料を除去することによって得られる）高さの調節は、この側で行なわれ、より特定的にはこれらリング状の部分で行なわれる。
【００７８】
図１、図２、図４、図５、および図６において、２つの光学ウェハＯＷ１およびＯＷ２の間において、付加的スペーサウェハといった他のウェハがある、または対応する構造は光学ウェハＯＷ１およびＯＷ２の一方に含まれ得る。
【００７９】
１つ以上の光学ウェハの製造は複製を用いて達成することができ、特に１つ以上の受動光学コンポーネントＬ（レンズ素子Ｌ）の製造は、複製を用いて、または複製手段により、達成できる。
【００８０】
図７は、本発明の第３の副局面の別の特定の実施の形態の断面図である。本実施の形態において、光学ウェハに含まれる１つ以上の受動光学コンポーネントの製造異常は、１つ以上の他の受動光学コンポーネントの製造において補償される。より特定的には：
本実施の形態において、第１の受動光学コンポーネント（より特定的には、レンズ素子Ｌ）の製造異常は、第２の受動光学コンポーネント（より特定的には、レンズ素子Ｌ′）の製造において補償され、特に、前記第２の受動光学コンポーネントは製造の際、前記第１の受動光学コンポーネントがその製造の際に含まれるウェハと異なるウェハに含まれる。
【００８１】
図７はウェハ積層体１００の一部を概略的に示し、光学ウェハＯＷと、ウェハＳＷとを含み、ウェハＳＷは（別の）光学ウェハとして呼ぶ方が相応しいが、本特許出願で用いられる用語との互換性を高めるために、スペーサウェハＳＷと呼び、さらに基板ウェハＰＷと、光学ウェハＯＷおよびスペーサウェハＳＷの間に（これらの間の縦の距離を規定する）スペーサウェハＳＷ′と、基板ウェハＰＷおよびスペーサウェハＳＷの間に（これらの間の縦の距離を規定する）スペーサウェハＳＷ″とを含む。
【００８２】
光学ウェハＯＷは、受動光学コンポーネントＬと、任意に、図７に示されるように、その反対面にさらなる受動光学コンポーネントを含む。スペーサウェハＳＷは、受動光学コンポーネントＬ′と、任意に図７に示されるように、その反対面においてさらなる受動光学コンポーネントを含む。基板ウェハＰＷはマルチピクセルディテクタ、たとえば画像検出器といった光検出素子２０を含むことができ、ウェハＯＷおよびＳＷの受動光学コンポーネントを通る光を検出する。
【００８３】
図７のウェハ積層体１００は、マルチチャネル装置、たとえばアレイカメラまたはコンピューテーショナルカメラを製造するために用いることができる。この場合、ウェハ積層体１００を個々の装置に分離することは、太い縦の破線に沿って行なうことができ、対応する装置は、たとえば３×３チャネルアレイを有する９チャネル装置であり得る。図７に示される実施の形態は、単一のチャネル装置を得るために見られるものであり得る。さらに、点線の矩形によって示される単一チャネルＣ参照。
【００８４】
各チャネルの全体の焦点距離に対して、レンズ素子Ｌが特に重要であると考える（焦点距離は、製造異常を救済するために調整されるべき特徴的な大きさの一例である）のなら、スペーサウェハＳＷ上の個別のレンズ素子Ｌの偏差は、より特定的にはその製造の際に、さらにより特定的にはレンズ素子Ｌ′の製造の際に、補償することができる。すなわち、以下の態様で行なわれる：
各個別のレンズ素子Ｌについて、所望の（名目上の）焦点距離値からの偏差を定めることができ、そこからスペーサウェハＳＷの基板３およびそれぞれのレンズ素子Ｌ′の間にある材料の層Ｙの厚さは、その偏差を補償するのに適する厚さとして定めることができる。厚さを変えることにより、補償を行なうことができる。なぜなら、それぞれのチャネルの光路長さの変動に影響するからである。
【００８５】
このような方法は、レンズＬおよびＬ′の少なくとも一方が、特にレンズＬおよびレンズＬ′の両方が、複製を用いて製造する場合に特に有用である。たとえば以下のとおりである：
多数のレンズＬを製造するために構成されている複製ツールを用いてレンズＬが作成されると、個別のレンズＬの形の偏差はウェハＯＷの同じ場所でほぼ同じ態様で起こり得る。なぜなら、複製ツールの形状の不完全性はこのような不完全性の主要な要因となるからである。この偏差についての知識をレンズＬ′の製造に用いることができる。レンズＬ′は複製により基板３上に作られ、各レンズＬ′は１つの処理であって層Ｙと同じ複製処理（したがって同時に）製造され、各個別の層の厚さは、（同じチャネルの）対応するレンズＬの前記不完全性を補償するために調整される。これは多数のレンズＬ′を製造するための複製ツールを用いた場合、高精度で達成できる。図７において、３つの異なるチャネルの３つの異なる厚さｄ１、ｄ２およびｄ３が示される。
【００８６】
すなわち、レンズ素子Ｌの名目値からの偏差についての知識は、多数のレンズＬ’を製造するための複製ツールの製造に用いることができる。すなわち個別に選択された層厚さｄ（ｄ１、ｄ２およびｄ３）の層Ｙを提供する複製ツールは、複製ツールを用いた時に作成される。これらの厚さｄ１、ｄ２およびｄ３はレンズＬの前記偏差（製造異常）を補償するために適切に選択される。
【００８７】
もちろん、このような補償のために、チャネルの他の受動光学コンポーネントを１つ以上用いることもでき、さらにチャネルの１つ以上の他の受動光学コンポーネントの製造異常を補償することもできる。
【００８８】
図７に示される受動光学コンポーネントは（実際に示されるような）屈折性のあるものであり得るが、そのうちの１つ以上は回折性のものまたは回折性かつ屈折性のものであり得る。さらに、これらは必ずしもレンズである必要はない。
【００８９】
さらに、基板ウェハＰＷは一般に任意である。この場合、スペーサウェハＳＷ″（および受動光学コンポーネントＬ′がある面と反対側の面にある、スペーサウェハＳＷ上にある他の任意の受動光学コンポーネント）がなくてもよいこともある。
【００９０】
図８から図１０は、本発明のさらに可能な局面および実施の形態を示す。図８から図１０は、断面図において、ウェハ積層体１００を示し、これは名目値からずれている焦点距離といった製造異常を少なくとも一部が有する受動光学コンポーネントＬを含む光学ウェハＯＷと、スペーサウェハＳＷ２と、光学ウェハＯＷおよびスペーサウェハＳＷ２の間の所望の（縦の）距離を確実にするためのスペーサウェハＳＷ１とを含む。ウェハ積層体の１つの特性は、スペーサウェハＳＷ２が異なる（しかし透明な）材料の２つの層ｍ１およびｍ２を含むことである。たとえば、層ｍ１はガラスからなり、層ｍ２はポリマーからなる；または２つの異なるポリマー材が層ｍ１およびｍ２に対して用いることができる。より一般的には、光学ウェハＯＷに面する層（ｍ１）は機械的安定性を提供するために設けられ、他方の層（ｍ２）（より特定的には、それをなす材料）は、層ｍ１（の材料）よりも機械的安定性が低い。さらに／または、スペーサウェハＳＷ２から材料を除去する方法または処理を考慮して、層ｍ２の材料は層ｍ１の材料よりも除去しやすい。
【００９１】
スペーサウェハＳＷ１おびＳＷ２を１つのスペーサウェハとして見ることもできる。さらに、層ｍ１およびｍ２をそれぞれ別個のスペーサウェハとして考えることもできる。
【００９２】
より具体的に、図９および図１０に示されるように、光学ウェハＯＷの製造異常を補償するための材料の除去は、層ｍ２だけで行なわれる。
【００９３】
さらに、図８から図１０は、より具体的には図９および図１０は、２つの（または一般的に３つ以上）の処理工程において、スペーサウェハＳＷ（または具体的には層ｍ２）から、材料を除去することができる。この場合、図９は図８のウェハ積層体１００に第１の処理工程を適用することによってもたらされるウェハ積層体を示し、図１０は図９のウェハ積層体１００に第２の処理工程を適用することによって得られるウェハ積層体を示す。たとえば、両方の処理工程がフライス削りによって行なわれる場合、第１の処理工程において第２の処理工程と異なるフライス削りツールを用いて、さらにはより速い送り速度で、行なうことができる。さらに、処理工程において異なる処理技術、たとえば最初にレーザアブレーションを行ない、その後でフライス削りを行なう、またはこの逆を組合せることもできる。
【００９４】
第２の処理工程は、特に（スペーサウェハＳＷ２の局所厚さに対する）微調整工程であり得る。
【００９５】
さらに、図９および図１０はたとえば２×２チャネルアレイ（図９および図１０参照）を有する４チャネル装置といったマルチチャネル装置の場合での可能な処理を示すものと見ることができる。図９に示されるように、１つの装置１０に対して第１の処理工程を個別に行ない、各チャネルＣ（図１０参照）に対して第２の処理工程を別個に行なうことができる。
【００９６】
図１１は本発明のさらに可能な局面を示す。断面図において、スペーサウェハＳＷ（またはその一部）はいくつかのスペーサ部材Ｓを含んで示される。スペーサ部材Ｓは、不透明材料（一般に光学的分離のため）からなるチャネル壁３０によって取囲まれる光チャネル７を含む。光チャネル７は部分的に固化透明材４０、たとえば硬化可能ポリマーで充填される。
【００９７】
図１１に示されるようなスペーサウェハＳＷを得るために、多数のスルーホールを含むウェハを設けることができる。たとえば、単にチャネル壁３０からなるふるいのような形のウェハを設けることができる。このようなウェハは、たとえば複製処理を用いて一体的部分として得ることができる。次に、液体の硬化可能材料がスルーホールに充填され、その後硬化される、たとえば重合化される。この際、前記ウェハは液体材がスルーホールから流れ出るのを避けるために、シリコーンマットのような基板上に配置することができる。硬化の後、充填された材料は透明材料４０となる。高品質の光学面を有するために、このように得られたウェハに研磨工程を適用することもできる。
【００９８】
図１１に示されるようなスペーサウェハＳＷを得る１つの態様において、孔に充填される液体材の量は各光チャネル７に対して個別に選択され、それにより製造異常の求められる補償を達成または向上させるために、光路長を調整する。別の態様では、充填する材料の量は、スペーサウェハのすべての光チャネル（たとえばすべてのスルーホール）において、（少なくとも名目上は）等しい。硬化の後、処理工程が行なわれ、光チャネル個々に対して追加の（または同じ）液体硬化可能材料を加える、および／または光チャネルの個々に対して前記液体硬化可能材料の一部を除去する。このような微調整工程は、しかし上記の第１の態様の場合にも適用することができる。
【００９９】
液体材料を充填するために、たとえばディスペンサ（フリップチップなどをアンダーフィルするためのエレクトロニクス製造で既知）を用いることができる。材料を除去するために、機械加工、またはフライス削り、または孔開け、またはレーザアブレーションを用いることができる。
【０１００】
光チャネル７の透明材料を設けることにより、それ自体で製造異常の補償を達成し得る。なぜなら、光チャネルを通る光の光路長は、少なくとも一つの透明材料よりも（明確に）大きい屈折率の場合、透明材料の量または縦の長さに一般に依存するからである。しかし、光チャネル７の透明材料を設けることと、光チャネル７の異なる幾何学的長さを提供することとの組合せも可能である。後者の場合、製造異常の求められる補償を最適化するために、たとえば、微細調整として、上記の２つのうち、一方を他方の後に行なうことができる。
【０１０１】
上記で明らかとなるように、本発明はウェハスケールで高精度の光学装置を非常に高い歩留まりで大量生産できるようにする。
【図１】
2014524597.tif 000003
【図２】
2014524597.tif 000004
【図３】
2014524597.tif 000005
【図４】
2014524597.tif 000006
【図５】
2014524597.tif 000007
【図６】
2014524597.tif 000008
【図７】
2014524597.tif 000009
【図８】
2014524597.tif 000010
【図９】
2014524597.tif 000011
【図１０】
2014524597.tif 000012
【図１１】
2014524597.tif 000013
【国際調査報告】
2014524597.tif 000014
2014524597.tif 000015
2014524597.tif 000016
2014524597.tif 000017
2014524597.tif 000018
2014524597.tif 000019